(57)【要約】【課題】サブコネクタが半挿入状態のまま両コネクタの嵌合が行われることを規制する。【解決手段】本発明は、雌側ホルダ６２には、雌側サブコネクタ６１の挿入方向に対して交差する方向に撓み可能な複数のランス６６が複数の雌側サブコネクタ６１に対応して設けられている一方、複数の雌側サブコネクタ６１には、複数のランス６６に係止して雌側サブコネクタ６１を正規挿入状態に保持する複数の受け部６５が設けられており、プレート本体部４２の嵌合面には、複数のランス６６の撓み空間にそれぞれ進入する複数のリブ４９が突出して設けられており、半挿入状態にある雌側サブコネクタ６１では、ランス６６が受け部６５に乗り上げて撓み空間に配置された状態となり、このランス６６に対してリブ４９が干渉することにより雄側コネクタ２０と雌側コネクタ６０との嵌合が規制される構成とした。【選択図】図８
2011044386.tif 000002
【特許請求の範囲】
【請求項１】
筒状のフード部を有する雄側コネクタと、前記フード部内に嵌合される雌側コネクタとを備え、
前記雌側コネクタは、複数のサブコネクタが後方から挿入されるホルダを備え、このホルダには、前記サブコネクタの挿入方向に対して交差する方向に撓み可能な複数のランスが前記複数のサブコネクタに対応して設けられている一方、前記複数のサブコネクタには、前記複数のランスに係止して前記サブコネクタを正規挿入状態に保持する複数の受け部が設けられており、前記雄側コネクタの嵌合面には、前記複数のランスの撓み空間にそれぞれ進入する複数のリブが突出して設けられており、
半挿入状態にある前記サブコネクタでは、前記ランスが前記受け部に乗り上げて前記撓み空間に配置された状態となり、このランスに対して前記リブが干渉することにより前記雄側コネクタと前記雌側コネクタとの嵌合が規制されることを特徴とする分割コネクタ。
【請求項２】
前記雄側コネクタは、前記フード部内に突出する複数の雄端子金具と、これらの雄端子金具を前記フード部内にて位置決めするムービングプレートとを備え、このムービングプレートは、前記複数の雄端子金具を位置決めする複数の位置決め孔が貫通形成されたプレート本体部を有し、このプレート本体部の嵌合面に、前記複数のリブが設けられていることを特徴とする請求項１に記載の分割コネクタ。
【請求項３】
前記プレート本体部の嵌合面に、前記位置決め孔を通って同嵌合面側に突出した前記雄端子金具の先端を保護する複数の保護壁が突出して設けられ、前記雌側コネクタの嵌合面に、前記複数の保護壁を逃がす凹部が設けられており、前記複数のリブは、隣り合う前記一対の保護壁の間に配置されたリブを含むことを特徴とする請求項２に記載の分割コネクタ。
【請求項４】
前記ムービングプレートは、前記プレート本体部の周縁から立ち上がる周壁部を有し、前記複数のリブは、前記周壁部に近接して配置されたリブを含むことを特徴とする請求項２または請求項３に記載の分割コネクタ。
【発明の詳細な説明】
【技術分野】
【０００１】
本発明は、分割コネクタに関する。
【背景技術】
【０００２】
従来、自動車の内部に配索した複数のワイヤハーネスの端末部を一ヶ所に集約し、その集約された端末部を電源側の電線の端末部に接続する手段として、分割コネクタが用いられている。このような分割コネクタとして、例えば下記特許文献１に記載のものが知られている。この分割コネクタは、前後に開口する枠状のホルダを備えており、このホルダに、各ワイヤハーネスの端末のサブコネクタが後方から挿入される。ホルダの内壁には、サブコネクタを正規位置に保持するためのランスが形成されている。一方、サブコネクタの外面には、ランスが係止可能な受け部が形成されている。サブコネクタは、ランスが受け部に係止することにより、正規位置に保持される。
【０００３】
ところで、分割コネクタの製造工程では、サブコネクタの半挿入状態を検知するために、ランスの撓み空間に検知用プローブを挿入することが行われている。サブコネクタが正規挿入状態にある場合には、検知用プローブがランスの撓み空間に進入可能となるのに対して、サブコネクタが半挿入状態にある場合には、ランスがその撓み空間に位置しているため、検知用プローブがランスと干渉して撓み空間に進入できなくなる。このため、検知用プローブの差し込み深さを検知することで、ランスと受け部との係止がなされているか否かを確認することができるようになっている。
【先行技術文献】
【特許文献】
【０００４】
【特許文献１】特開２００２−１９８１２２号公報
【発明の概要】
【発明が解決しようとする課題】
【０００５】
しかしながら、上記の検査方法では、端子金具の導通検査とサブコネクタの半挿入検査との双方を行う必要があるため、検査時間が長くなってしまう。かといって、サブコネクタの半挿入検査をなくしてしまうと、サブコネクタが半挿入状態に留め置かれたまま両コネクタの嵌合が行われてしまうおそれがある。
【０００６】
本発明は上記のような事情に基づいて完成されたものであって、サブコネクタが半挿入状態のまま両コネクタの嵌合が行われることを規制することを目的とする。
【課題を解決するための手段】
【０００７】
本発明は、筒状のフード部を有する雄側コネクタと、フード部内に嵌合される雌側コネクタとを備え、雌側コネクタは、複数のサブコネクタが後方から挿入されるホルダを備え、このホルダには、サブコネクタの挿入方向に対して交差する方向に撓み可能な複数のランスが複数のサブコネクタに対応して設けられている一方、複数のサブコネクタには、複数のランスに係止してサブコネクタを正規挿入状態に保持する複数の受け部が設けられており、雄側コネクタの嵌合面には、複数のランスの撓み空間にそれぞれ進入する複数のリブが突出して設けられており、半挿入状態にあるサブコネクタでは、ランスが受け部に乗り上げて撓み空間に配置された状態となり、このランスに対してリブが干渉することにより雄側コネクタと雌側コネクタとの嵌合が規制される構成としたところに特徴を有する。
【０００８】
このような構成によると、サブコネクタが半挿入状態にあるときに、雄側コネクタと雌側コネクタを嵌合しようとした場合に、ランスが受け部に乗り上げて撓み空間に配置された状態となるため、リブがランスに干渉し、両コネクタの嵌合が規制される。これにより、サブコネクタが半挿入状態にあることが検知される。したがって、サブコネクタが半挿入状態のまま両コネクタの嵌合が行われることを規制でき、もってサブコネクタの半挿入検査をなくすことができる。
【０００９】
本発明の実施の態様として、以下の構成が好ましい。
雄側コネクタは、フード部内に突出する複数の雄端子金具と、これらの雄端子金具をフード部内にて位置決めするムービングプレートとを備え、このムービングプレートは、複数の雄端子金具を位置決めする複数の位置決め孔が貫通形成されたプレート本体部を有し、このプレート本体部の嵌合面に、複数のリブが設けられている構成としてもよい。
【００１０】
このような構成によると、ムービングプレートにリブを設けたから、雄側コネクタハウジングの形状を変更しなくてもよく、設計変更などによってリブを容易に追加することができる。
【００１１】
プレート本体部の嵌合面に、位置決め孔を通って同嵌合面側に突出した雄端子金具の先端を保護する複数の保護壁が突出して設けられ、雌側コネクタの嵌合面に、複数の保護壁を逃がす凹部が設けられており、複数のリブは、隣り合う一対の保護壁の間に配置されたリブを含む構成としてもよい。
このような構成によると、保護壁によって雄端子金具の先端とリブの双方を保護することができる。
【００１２】
ムービングプレートは、プレート本体部の周縁から立ち上がる周壁部を有し、複数のリブは、周壁部に近接して配置されたリブを含む構成としてもよい。
このような構成によると、周壁部によってリブを保護することができる。
【発明の効果】
【００１３】
本発明によれば、サブコネクタが半挿入状態のまま両コネクタの嵌合が行われることを規制できる。
【図面の簡単な説明】
【００１４】
【図１】実施形態における分割コネクタの分解側面図
【図２】両コネクタの嵌合前の状態を示した側面図
【図３】両コネクタの嵌合後の状態を示した側面図
【図４】雄側サブコネクタが正規挿入状態にある場合に雌側コネクタをムービングプレートの内部に嵌合させる前の状態を示した断面図
【図５】図４の状態から雌側コネクタをムービングプレートの内部に嵌合させた状態を示した断面図
【図６】図５の状態からレバーを回動させることにより両コネクタが正規嵌合した状態を示した断面図
【図７】雄側サブコネクタが半挿入状態にある場合に雌側コネクタをムービングプレートの内部に嵌合させる前の状態を示した断面図
【図８】受け部に乗り上げたランスの先端にリブが干渉することにより雌側コネクタのムービングプレートの内部への嵌合が規制された状態を示した断面図
【図９】雄側コネクタの正面図
【図１０】雌側コネクタの正面図
【図１１】レバーを装着する前における雄側コネクタの左側面図
【図１２】レバーを装着する前における雄側コネクタの正面図
【発明を実施するための形態】
【００１５】
＜実施形態＞
本発明の実施形態を図１ないし図１２の図面を参照しながら説明する。本実施形態の分割コネクタは、図１に示すように、レバー８０の回動操作に基づいて互いに嵌合可能とされる雄側コネクタ２０および雌側コネクタ６０と、雄側コネクタ２０に装着されるムービングプレート４０とを備える。なお、以下の説明において前後方向は両コネクタ２０，６０の嵌合方向を基準とし、互いの嵌合面側を前側とする。
【００１６】
雌側コネクタ６０は、図１０に示すように、複数の雌側サブコネクタ６１を合成樹脂製の雌側ホルダ６２に組み付けることで一体に構成されている。各雌側サブコネクタ６１は、合成樹脂製の雌側サブハウジング６３を有している。すなわち、雌側コネクタ６０は、雌側ホルダ６２と複数の雌側サブハウジング６３とからなる雌側コネクタハウジングを有している。この雌側コネクタハウジングは、全体として略方形のブロック状をなしており、略正方形の嵌合面を有している。
【００１７】
雌側ホルダ６２の内部には、図４の右側に示すように、雌側サブコネクタ６１を収容する雌側サブコネクタ収容部６４が前後方向に貫通して形成されている。雌側サブハウジング６３の外面には、受け部６５が設けられている。一方、雌側サブコネクタ収容部６４の内部には、受け部６５に係止して雌側サブコネクタ６１を抜け止め状態に保持するランス６６が設けられている。ランス６６は片持ち状をなして前方に突出する形態をなし、受け部６５に対して接近しまたは離れる方向（両コネクタ２０，６０の嵌合方向と交差する方向）に撓み可能である。
【００１８】
ランス６６は、雌側サブコネクタ収容部６４の内部に雌側サブコネクタ６１が正規姿勢で組み付けられると、弾性的に撓み変形しつつ受け部６５に乗り上げ、受け部６５を乗り超えて弾性復帰するとともに受け部６５に対して後方から係止するように構成されている。これにより、雌側サブコネクタ６１が雌側サブコネクタ収容部６４の内部に正規挿入状態で収容され、かつ、後方に抜け止めされた状態で収容される。
【００１９】
雌側サブハウジング６３の内部には、雌端子金具７０を収容する複数のキャビティ６７が形成されている。キャビティ６７は、図１０に示すように、左右方向に２列で上下方向に複数段に並んで配置されている。キャビティ６７の内部には、雌端子金具７０を抜け止めする抜止片６８が設けられている。また、雌側サブハウジング６３には、リテーナ７３が装着可能とされており、雌端子金具７０は、抜止片６８およびリテーナ７３によってキャビティ６７の内部で後方に抜け止めされた状態で収容されている。
【００２０】
また、雌側コネクタ６０の嵌合面（前面）において各雌側サブコネクタ６１間には、凹部６９が形成されている。この凹部６９は、各雌側サブコネクタ６１の嵌合面より一段低くなるように凹み形成されている。この凹部６９には、後述するように、両コネクタ２０，６０の嵌合時に、ムービングプレート４０に設けられた保護壁４１が進入するようになっている。
【００２１】
雌側ホルダ６２の両側面には、高さ方向略中央部に、前後方向に延びた断面長円形をなす一対の第１カムピン７１が突設されている。また、両第１カムピン７１の下方には、前後方向に延びた一対の解除リブ７２が形成されている。両解除リブ７２は、後述する一対の解除溝３１に進入可能とされており、両解除リブ７２が両解除溝３１に進入することによって両コネクタ２０，６０の嵌合の案内がなされるとともに、両コネクタ２０，６０の誤嵌合が防止される。
【００２２】
雄側コネクタ２０は、図１２に示すように、複数の雄側サブコネクタ２１を合成樹脂製の雄側ホルダ２２に組み付けることで一体に構成されている。各雄側サブコネクタ２１は、合成樹脂製の雄側サブハウジング２３を有している。すなわち、雄側コネクタ２０は、雄側ホルダ２２と複数の雄側サブハウジング２３とからなる雄側コネクタハウジングを有している。この雄側コネクタハウジングは、全体として略方形のブロック状をなしており、略正方形の嵌合面を有している。
【００２３】
雄側ホルダ２２において雄側サブハウジング２３より前方に突出する部分は、略角筒状をなすフード部２４とされている。フード部２４は、雄側コネクタハウジングの嵌合面の周縁から前方に突出しており、略正方形の間口を有している。フード部２４の内部には、ムービングプレート４０を収容可能である。なお、雄側サブコネクタ２１は、後方から雄側ホルダ２２に組み付けられる。
【００２４】
雄側ホルダ２２は全体として枠状をなし、前後方向に開口する複数の開口を有している。各開口の内壁には、図４の左側に示すように、雄側サブコネクタ２１を正規位置に保持するためのロック部２６が形成されている。ロック部２６が雄側サブハウジング２３の外面に係止することにより、雄側サブコネクタ２１は、正規位置に保持される。
【００２５】
雄側サブコネクタ２１の内部には、図１２に示すように、雄端子金具３０を収容するキャビティ２５が左右方向に２列で上下方向に複数段に並んで配置されている。キャビティ２５の内部には、図４の左側に示すように、雄端子金具３０を抜け止めする抜止片２７が設けられている。両コネクタ２０，６０を嵌合させると、雄端子金具３０が雌端子金具７０に嵌合して両者が電気的に接続される。
【００２６】
雄側ホルダ２２の両側面には、高さ方向略中央部に、レバー８０を支持する一対の支持軸２８が突設されている。また、雄側ホルダ２２の両側面には、図１１に示すように、フード部２４の前端開口縁から支持軸２８に向けて直線状に切り欠いた一対の逃がし溝２９が形成されている。両コネクタ２０，６０の嵌合時には、逃がし溝２９に第１カムピン７１が進入するようになっている。また、逃がし溝２９と上下方向に隣り合う位置には、同じくフード部２４の前端開口縁から後方に向けて切り欠かれた解除溝３１が形成されており、この解除溝３１には、図９に示すように、レバー８０の後述するレバーロック部８５が係止しており、このレバーロック部８５は、解除溝３１の前方に臨む位置に配置されている。
【００２７】
レバー８０は合成樹脂製であって、図９に示すように、左右一対の板状をなすアーム部８１と、両アーム部８１を連結する操作部８２とからなり、全体として門形に形成されている。アーム部８１には支持軸２８を受ける軸受孔８３が形成されている。レバー８０は、その軸受孔８３に支持軸２８を嵌合させることで、待機位置（図２に示すアーム部８１の位置）と、嵌合位置（図３に示すアーム部８１の位置）との間で、回動可能に支持されている。雌側コネクタ６０の後面には、嵌合位置におけるレバー８０の操作部８２と係止するレバー係止部６０Ａが後方に突出して設けられている。また、アーム部８１の内面には、軸受孔８３を中心とする弧状のカム溝８４がアーム部８１の周縁に開口して形成されている。
【００２８】
アーム部８１の内面には、レバー８０を待機位置に保持するためのレバーロック部８５が内側に突出して設けられている。このレバーロック部８５は、図９に示すように、レバー８０が待機位置にあるときに解除溝３１に係止することによりレバー８０が嵌合位置へ回動することを規制している。解除溝３１に解除リブ７２が進入すると、解除リブ７２によってレバーロック部８５が外側に押し出され、レバーロック部８５と解除溝３１との係止状態が解除されることで、レバー８０の回動操作が許容されるようになる。レバーロック部８５と解除溝３１との係止は、図５に示すように、雌側コネクタ６０がムービングプレート４０の内部に嵌合されるタイミングで解除されるようになっている。したがって、図８に示すように、雌側コネクタ６０がムービングプレート４０の内部に嵌合する途中の状態では、レバーロック部８５と解除溝３１との係止が解除されておらず、レバー８０の回動操作は規制されたままとなっている。
【００２９】
ムービングプレート４０は合成樹脂製であって、フード部２４内に配置され、各雄端子金具３０を縦方向及び横方向において位置決めする役割を担っている。ここで、縦方向及び横方向とは、両コネクタ２０，６０の嵌合・離脱方向を前後方向としたときに、前後方向と直交する平面において互いに直交する方向をいう。このムービングプレート４０は、フード部２４内にて前後方向への移動を可能とされている。ムービングプレート４０は、板状をなす略方形のプレート本体部４２と、プレート本体部４２の周縁から立ち上がる略角筒状の周壁部４３とを備えてなる。両コネクタ２０，６０の嵌合時、周壁部４３の外周面がフード部２４の内周面に摺接可能に移動するようになっている。そして、周壁部４３の内面には、図９に示すように、両解除リブ７２と対応する位置に、一対の切り欠き４４が形成されている。フード部２４の内面のうち両切り欠き４４と対応する位置には、解除リブ７２を受け入れる一対の解除溝３１が形成されている。
【００３０】
周壁部４３の両側面には、高さ方向略中央部に、前後方向に延びて周壁部４３の前端縁に開口する一対の導入溝４５が第１カムピン７１を受け入れ可能に形成されている。そして、周壁部４３の両側面には、第２カムピン４６が導入溝４５を跨ぐようにして外方に突出して形成されている。第２カムピン４６は、前方から見ると略門形をなし、その内側に第１カムピン７１を嵌合可能としている。第２カムピン４６は、その内側へ第１カムピン７１が入ってきたときに、両コネクタ２０，６０の嵌合完了に至るまでの間、第１カムピン７１と合体した状態でレバー８０のカム溝８４に係合される。これにより、レバー８０の回動操作により、雌側コネクタ６０とムービングプレート４０が一体となって移動するようになっている。
【００３１】
プレート本体部４２には、図９に示すように、各雄端子金具３０を挿通する位置決め孔４７が整列して貫通形成されている。位置決め孔４７は、プレート本体部４２の後面にラッパ状に拡開されることで各雄端子金具３０の誘い込みを可能にしている。ムービングプレート４０は、両コネクタ２０，６０の嵌合時、プレート本体部４２が各雄側サブコネクタ２１の嵌合面（前面）より浮いた状態となる初期の組付位置（以下、初期位置）からプレート本体部４２が各雄側サブコネクタ２１の嵌合面に当接する嵌合完了時の位置（以下、終端位置）にかけて移動するわけであるが、その移動経路のいずれの位置にあっても、雄端子金具３０は位置決め孔４７に貫通した状態に保たれる。これによって雄端子金具３０の位置決めが確実になされる。ムービングプレート４０が初期位置にあるときに、プレート本体部４２の嵌合面（雌側コネクタ６０との対向面）には、図４に示すように、雄端子金具３０の先端部が突出して嵌合面側に臨むようになっており、この状態で、導通検査に供される。なお、フード部２４内における各雄端子金具３０の先端位置は前後方向について同じ位置に揃っている。
【００３２】
プレート本体部４２の嵌合面には、図９に示すように、上下方向に延びる形態をなす複数の保護壁４１が前方に突出して設けられている。これらの保護壁４１は、雌側コネクタ６０の嵌合面（雄側コネクタ２０との対向面）に形成された凹部６９に対応して設けられている。保護壁４１は、両コネクタ２０，６０の嵌合時に、対応する凹部６９に嵌合可能とされている。
【００３３】
複数の保護壁４１は全部で６つの保護壁４１から構成されており、上下方向に並んで配置された一対の保護壁４１が左右方向に３列に並んで配置されている。これにより、隣り合う両雌側サブコネクタ６１は、上下一対からなる保護壁４１によって区画される。換言すると、一の雌側サブコネクタ６１に対応する複数の位置決め孔４７を一の位置決め孔４７群としたときに、一の位置決め孔４７群とこれに隣り合う他の位置決め孔４７群とを区画する位置に上下一対からなる保護壁４１が配置されている。
【００３４】
プレート本体部４２においてロック部２６と前後方向に対応する位置には、図９に示すように、ロック部２６の解除操作を行う解除治具を挿通させる通し孔４８が貫通形成されている。したがって、ムービングプレート４０がフード部２４内に収容された状態であっても、通し孔４８に解除治具を挿入することにより、ロック部２６の係止を解除することができる。このとき、解除治具は、通し孔４８を通ってロック部２６に向けて挿入されるため、雄端子金具３０との干渉が回避され、雄端子金具３０を変形させることなくロック解除をすることができる。
【００３５】
プレート本体部４２の嵌合面には、複数のリブ４９が前方に突出して設けられている。複数のリブ４９のうち３つについては、上下一対からなる保護壁４１の間に配置されており、残りの１つについては、周壁部４３の左側壁の内面に近接して配置されている。このため、全てのリブ４９は、保護壁４１もしくは周壁部４３によって保護された状態とされている。なお、全てのリブ４９は、通し孔４８と左右方向に隣り合う配置とされている。
【００３６】
リブ４９は、図５に示すように、雌側サブコネクタ６１が正規挿入状態にあるときには、ランス６６の撓み空間に進入するため、ムービングプレート４０の内部に雌側コネクタ６０が嵌合可能となる。図１０の二点鎖線は、リブ４９がランス６６の撓み空間に進入した状態を示している。これにより、第１カムピン７１は、カム溝８４の入口８４Ａに進入し、第２カムピン４６の内部に嵌合することが許容されるとともに、解除リブ７２によってレバーロック部８５の係止が解除され、レバー８０の回動操作が許容される。したがって、レバー８０の回動操作に伴って、第１カムピン７１と第２カムピン４６が合体した状態でカム溝８４に沿って移動し、図６に示すように、両コネクタ２０，６０が正規嵌合状態に至る。
【００３７】
しかしながら、図７に示すように、雌側サブコネクタ６１が半挿入状態にあるときには、ランス６６が受け部６５に乗り上げており、ランス６６は、その撓み空間に配置された状態となっている。このため、雌側コネクタ６０をムービングプレート４０の内部に嵌合させると、図８に示すように、リブ４９の先端がランス６６に干渉し、雌側コネクタ６０の嵌合が規制される。このとき、レバーロック部８５と解除溝３１との係止は解除されていないため、レバー８０の回動操作は規制されたままである。また、第１カムピン７１は、カム溝８４の入口８４Ａに到達しておらず、第１カムピン７１とカム溝８４の入口８４Ａの手前側部分とが干渉するため、やはりレバー８０の回動操作は規制されたままである。これにより、雌側サブコネクタ６１が半挿入状態のまま両コネクタ２０，６０の嵌合が行われる事態を回避できる。したがって、両コネクタ２０，６０の嵌合前に雌側サブコネクタ６１の半挿入検査を行わなくてもよい。
【００３８】
本実施形態は以上のような構成であって、続いて両コネクタ２０，６０の嵌合操作について説明する。まず、図４に示すように、雌側サブコネクタ６１が雌側サブコネクタ収容部６４に対して正規挿入状態にある場合には、図５に示すように、リブ４９がランス６６の撓み空間に進入し、雌側コネクタ６０が正規姿勢をとってムービングプレート４０の内部に進入する。すると、雌側コネクタ６０の側面が周壁部４３によって包囲されるとともに、雌側コネクタ６０の嵌合面がプレート本体部４２の嵌合面と対面する。この状態では、第１カムピン６７がレバー８０のカム溝８４の入口に進入するとともに、導入溝４５に嵌入され、第１カムピン６７と第２カムピン４６が合体した状態でカム溝８４と係合可能となる。また、解除リブ７２が解除溝３１に進入しレバーロック部８５と解除溝３１との係止が解除されることにより、レバー８０の嵌合位置への回動が許容される。
【００３９】
次に、レバー８０を嵌合位置側へ回動すると、第２カムピン４６とカム溝８４との係合によるカム作用によって、雌側コネクタ６０がフード部２４の奥側へ引き込まれるように相対移動し、両コネクタ２０，６０が互いに接近する。このとき、プレート本体部４２の保護壁４１が雌側コネクタ６０の凹部６９に嵌入した状態となり、ムービングプレート４０が雌側コネクタ６０と一体となってフード部２４の奥側へ平行に移動する。ムービングプレート４０が移動する間、各雄端子金具３０は、位置決め孔４７を貫通した状態にあるため、正しい位置に保持される。そして、図６に示すように、両コネクタ２０，６０が正規嵌合に至ると、雄端子金具３０は、雌端子金具７０に対して正規姿勢で嵌合し、両者が導通可能に接続される。
【００４０】
一方、図７に示すように、雌側サブコネクタ６１が雌側サブコネクタ収容部６４に対して半挿入状態にある場合には、ランス６６が受け部６５に乗り上げた状態となっており、ランス６６がその撓み空間に配置された状態となっている。このため、雌側コネクタ６０をムービングプレート４０の内部に進入させると、図８に示すように、リブ４９の先端がランス６６と干渉し、雌側コネクタ６０は、これ以上ムービングプレート４０の内部に進入することができなくなる。このとき、解除リブ７２によるレバーロック部８５の解除は行われていないため、レバー８０の回動操作は規制される。また、第１カムピン７１はカム溝８４の入口８４Ａの手前側に位置しているため、第１カムピン７１がカム溝８４に沿って移動することもない。したがって、雌側サブコネクタ６１が半挿入状態のまま両コネクタ２０，６０の嵌合が行われることを回避できる。その結果、雌側サブコネクタ６１の半挿入検査をなくすことができる。
【００４１】
以上のように本実施形態では、ムービングプレート４０のプレート本体部４２の嵌合面にリブ４９を設け、このリブ４９の先端が、受け部６５に乗り上げたランス６６に干渉するようにしたから、雌側サブコネクタ６１が半挿入状態のまま両コネクタ２０，６０の嵌合が行われることを規制できる。また、ムービングプレート４０にリブ４９を設けたから、雄側コネクタハウジングにリブを設けなくてもよく、設計変更により容易にリブ４９を追加することができる。また、３つのリブ４９を上下一対からなる保護壁４１の間に配置し、残り１つのリブ４９を周壁部４３の内周面に近接して配置したから、全てのリブ４９を保護壁４１ないし周壁部４３によって保護することができる。
【００４２】
＜他の実施形態＞
本発明は上記記述及び図面によって説明した実施形態に限定されるものではなく、例えば次のような実施形態も本発明の技術的範囲に含まれる。
（１）上記実施形態では雄側コネクタ２０のムービングプレート４０のリブ４９を設けているものの、本発明によると、雄側コネクタ２０の雄側コネクタハウジングにリブを設けてもよいし、あるいは雌側コネクタ６０の雌側コネクタハウジングにリブを設けてもよい。
【００４３】
（２）上記実施形態では上下一対からなる保護壁４１の間にリブ４９を配置しているものの、本発明によると、いずれか一つの保護壁４１の近傍にリブ４９を配置してもよいし、保護壁４１と一体にリブ４９を形成してもよい。
（３）上記実施形態では周壁部４３に近接してリブ４９を配置しているものの、本発明によると、周壁部４３と一体にリブ４９を形成してもよい。
【００４４】
（４）上記実施形態ではレバー８０を回動操作することによって両コネクタ２０，６０を嵌合させるレバー式コネクタに適用しているものの、本発明によると、レバー８０の代わりにロックアームを備えたコネクタに適用してもよい。
（５）上記実施形態では雄側コネクタ２０と雌側コネクタ６０の双方を分割コネクタとしているものの、本発明によると、雌側コネクタ６０のみを分割コネクタとして構成してもよい。
【符号の説明】
【００４５】
２０…雄側コネクタ
２４…フード部
３０…雄端子金具
４０…ムービングプレート
４１…保護壁
４２…プレート本体部
４３…周壁部
４７…位置決め孔
４９…リブ
６０…雌側コネクタ
６１…雌側サブコネクタ
６２…雌側ホルダ
６５…受け部
６６…ランス
【図１】
2011044386.tif 000003
【図２】
2011044386.tif 000004
【図３】
2011044386.tif 000005
【図４】
2011044386.tif 000006
【図５】
2011044386.tif 000007
【図６】
2011044386.tif 000008
【図７】
2011044386.tif 000009
【図８】
2011044386.tif 000010
【図９】
2011044386.tif 000011
【図１０】
2011044386.tif 000012
【図１１】
2011044386.tif 000013
【図１２】
2011044386.tif 000014